(57)【要約】【課題】  各稜線部が山形に矯正された波状のフィン材を切断することができるコルゲートフィン切断装置及びコルゲートフィン切断方法の提供。【解決手段】  各稜線部１１ｃが山形に矯正された波状のフィン材１１の谷部１１ｂに圧入することによりフィン材１１における山形凸部位置１１ｄのフィンピッチを拡大させるピッチ拡大手段２と、該ピッチ拡大手段２に沿ってピッチが拡大された谷部１１ｂに挿入して切断位置を押さえて位置決めする切断案内手段３と、ピッチが拡大された谷部１１ｂの裏面側に配置される固定刃４１と、切断案内手段３に沿ってピッチが拡大された谷部１１ｂに挿入して固定刃４１との間で谷部１１ｂを剪断する可動刃４２とで構成されるフィン切断手段４と、を備えている構造。【選択図】      図６
2007054928.tif 000002
【特許請求の範囲】
【請求項１】
各稜線部が山形に矯正された波状のフィン材の谷部に圧入することにより少なくともフィン材における山形凸部位置のフィンピッチを拡大させるピッチ拡大手段と、
該ピッチ拡大手段に沿って前記ピッチが拡大された谷部に挿入して切断位置を押さえて位置決めする切断案内手段と、
前記ピッチが拡大された谷部の裏面側に配置される固定刃と、前記切断案内手段に沿って前記ピッチが拡大された谷部に挿入して前記固定刃との間で前記谷部を剪断する可動刃とで構成されるフィン切断手段と、
を備えていることを特徴とするコルゲートフィン切断装置。
【請求項２】
請求項１に記載のコルゲートフィン切断装置において、前記ピッチ拡大手段と前記切断案内手段とフィン切断手段とが前記フィン材の搬送速度と同一速度で移動しながら前記フィン材の切断が行われるように構成されていることを特徴とするコルゲートフィン切断装置。
【請求項３】
請求項２に記載のコルゲートフィン切断装置において、前記フィン材の波頭部または波底部の少なくともいずれか一方の両肩部に各々係合し、該フィン材を搬送方向へ連続して搬送する一対の右捩れウォームと左捩れウォームからなる計数ウォームが備えられ、
該計数ウォームが係合している部分におけるフィン材の谷部に少なくとも前記ピッチ拡大手段が圧入されると共に、前記フィン材が前記計数ウォームを通過した後に前記切断案内手段の圧入及び前記フィン切断手段によるフィン材の切断が行われるように構成されていることを特徴とするコルゲートフィン切断装置。
【請求項４】
各稜線部が山形に矯正された波状のフィン材の谷部にピッチ拡大手段を圧入することにより少なくともフィン材における山形凸部位置のフィンピッチを拡大させるピッチ拡大工程と、
前記ピッチ拡大手段に沿って前記ピッチが拡大された谷部に切断案内手段を挿入して切断位置を押さえて位置決めする切断案内手段圧入工程と、
前記ピッチが拡大された谷部の裏面側にフィン切断手段を構成する固定刃が配置されると共に、前記切断案内手段に沿って前記ピッチが拡大された谷部にフィン切断手段を構成する可動刃を挿入することにより前記固定刃との間で前記谷部を剪断するフィン切断工程と、
を備えることを特徴とするコルゲートフィン切断方法。
【発明の詳細な説明】
【技術分野】
【０００１】
本発明は、波状のフィン材の各稜線部が山形に矯正されたコルゲートフィン切断装置及びコルゲートフィン切断方法に関する。
【背景技術】
【０００２】
従来、コルゲートフィン切断装置としては、波状のフィン材の両肩部に各々係合し、該フィン材を搬送方向へ連続して搬送する一対のウォームと、前記両ウォームに係合したフィン材の谷部に進入し、該フィン材に同期して搬送方向へ移動するガイド片と、前記ガイド片と共にフィン材の搬送方向へ移動し、前記ガイド片が両ウォームを通過したところで前記ガイド片によりガイドされた前記フィン材の谷部を切断する上下の切断刃と、を備えた構造のものが知られている（例えば、特許文献１参照。）。
【特許文献１】特開２００４−２２３６８５号公報
【発明の開示】
【発明が解決しようとする課題】
【０００３】
しかしながら、従来例のコルゲートフィン切断装置は、各稜線部が直線状のフィン材の切断を目的とするもので、上下の切断歯が直線状であったため、各稜線部が山形に矯正されたコルゲートフィンを切断することができないという問題点があった。
【０００４】
本発明の解決しようとする課題は、各稜線部が山形に矯正された波状のフィン材を切断することができるコルゲートフィン切断装置及びコルゲートフィン切断方法を提供することにある。
【課題を解決するための手段】
【０００５】
上記課題を解決するため請求項１記載のコルゲートフィン切断装置は、各稜線部が山形に矯正された波状のフィン材の谷部に圧入することにより少なくともフィン材における山形凸部位置のフィンピッチを拡大させるピッチ拡大手段と、該ピッチ拡大手段に沿って前記ピッチが拡大された谷部に挿入して切断位置を押さえて位置決めする切断案内手段と、前記ピッチが拡大された谷部の裏面側に配置される固定刃と、前記切断案内手段に沿って前記ピッチが拡大された谷部に挿入して前記固定刃との間で前記谷部を剪断する可動刃とで構成されるフィン切断手段と、を備えていることを特徴とする手段とした。
【０００６】
請求項４記載のコルゲートフィン切断方法は、各稜線部が山形に矯正された波状のフィン材の谷部にピッチ拡大手段を圧入することにより少なくともフィン材における山形凸部位置のフィンピッチを拡大させるピッチ拡大工程と、前記ピッチ拡大手段に沿って前記ピッチが拡大された谷部に切断案内手段を挿入して切断位置を押さえて位置決めする切断案内手段圧入工程と、前記ピッチが拡大された谷部の裏面側にフィン切断手段を構成する固定刃が配置されると共に、前記切断案内手段に沿って前記ピッチが拡大された谷部にフィン切断手段を構成する可動刃を挿入することにより前記固定刃との間で前記谷部を剪断するフィン切断工程と、を備えることを特徴とする手段とした。
【発明の効果】
【０００７】
本発明のコルゲートフィン切断装置及びコルゲートフィン切断方法によれば、ピッチ拡大手段で各稜線部が山形に矯正された波状のフィン材の谷部にピッチ拡大手段を圧入することにより少なくともフィン材における山形凸部位置のフィンピッチを拡大させ、ピッチ拡大手段に沿ってピッチが拡大された谷部に切断案内手段を挿入して切断位置を押さえて位置決めし、ピッチが拡大された谷部の裏面側にフィン切断手段を構成する固定刃が配置されると共に、切断案内手段に沿ってピッチが拡大された谷部にフィン切断手段を構成する可動刃を挿入することにより、固定刃との間で谷部を剪断することができる。
【０００８】
従って、各稜線部が山形に矯正された波状のフィン材を切断することができるようになる。
【発明を実施するための最良の形態】
【０００９】
以下にこの発明の実施例を図面に基づいて説明する。
【実施例１】
【００１０】
この実施例のコルゲートフィン切断装置は、請求項１〜４に記載の発明に対応する。
【００１１】
まず、この実施例のコルゲートフィン切断装置を図面に基づいて説明する。
【００１２】
図１はこの実施例のコルゲートフィン切断装置の作動状態を示す全体側面図、図２は実施例のコルゲートフィン切断装置の要部を示す断面図、図３は実施例のコルゲートフィン切断装置の要部を示す斜視図、図４は実施例のコルゲートフィン切断装置の要部を示す平面図、図５は図４のＶ−Ｖ線における縦断面図、図６は実施例のコルゲートフィン切断装置の作動状態を示す要部の側面図である。
【００１３】
このコルゲートフィン切断装置は、右捩れウォーム１ａと、左捩れウォーム１ｂと、ピッチ拡大手段２と、切断案内手段３と、フィン切断手段４と、同調移動手段５と、を備えている。
【００１４】
さらに詳述すると、上記右捩れウォーム１ａ及び左捩れウォーム１ｂは、図４及び図５に示すように、波状のフィン材１１を搬送方向（図中矢印Ｐ方向）へ連続して搬送すると共に、フィン材１１の谷部の位置を規制するためのものであって、両ウォーム１ａ，１ｂは、フィン材１１における波頭部側の両肩部１１ａに各々係合してフィン材１１の谷部１１ｂの位置を規制するようになっている。
【００１５】
また、両ウォーム１ａ，１ｂは、ギア（図示せず）で連結されてサーボモータで各々矢印Ｓ方向に回転するようになっており、この回転数から搬送したフィン材１１の谷部１１ｂの数を計数できるようになっている。即ち、計数ウォームを兼ねている。
【００１６】
上記ピッチ拡大手段２は、各稜線部１１ｃが山形に矯正された波状のフィン材１１の谷部１１ｂに圧入することによりフィン材１１における山形凸部位置１１ｄのフィンピッチを拡大させる役目をなすもので、図３に示すように、両ウォーム１ａ，１ｂとの干渉を避けるために、下端部が幅狭に形成されると共に、フィンピッチを拡大させるためにフィン材１１の搬送方向側の先端面が斜めにカットされた傾斜面２１に形成されている。
【００１７】
上記切断案内手段３は、ピッチ拡大手段２に沿ってピッチが拡大された谷部１１ｂに挿入して切断位置を押さえて位置決めする役目をなす。
【００１８】
上記フィン切断手段４は、波状のフィン材１１を所定長さごとに谷部１１ｂで切断する役目をなすもので、ピッチが拡大された谷部１１ｂの裏面側に配置される固定刃４１と、切断案内手段３に沿ってピッチが拡大された谷部１１ｂに挿入して固定刃４１との間で谷部１１ｂを剪断する可動刃４２とで構成されている。
【００１９】
上記同調移動手段５は、上記ピッチ拡大手段２、切断案内手段３、及びフィン切断手段４をフィン材１１の搬送方向に沿って該搬送速度と同一速度で移動させると共に、ピッチ拡大手段２、切断案内手段３、及びフィン切断手段４をそれぞれ上述のように作動させる役目をなす。
【００２０】
即ち、この同調移動手段５は、図１に示すように、上記両ウォーム１ａ，１ｂが設けられたフィン材１１の外周を囲む状態で設けられる基台５１と、上記両ウォーム１ａ，１ｂが設けられた位置の上側で基台５１に対しフィン材１１の搬送方向に沿って往復移動可能に設けられる走行切断台車５２と、該走行切断台車５２に対し上下往復移動可能に設けられた案内ガイド５３と、走行切断台車５２の往復移動及び案内ガイド５３の上下往復移動を行う駆動機構５４とを備えている。
【００２１】
上記駆動機構５４は、カムローラ５４１を介して案内ガイド５３を上下往復移動させるカム５４２と、該カム５４２の側面に沿って回動可能に設けられた摺動案内筒５４３と、該摺動案内筒５４３に対し挿通されると共に、その下端側が走行切断台車５２に固定された伝達アーム５４４とで構成されている。
【００２２】
そして、図２に要部の断面を示すように、上記案内ガイド５３の下面側に、ピッチ拡大手段２が長めのコイルスプリング５３１を介して上下摺動可能に設けられ、切断案内手段３が短めのコイルスプリング５３２を介して上下方向摺動可能に設けられ、フィン切断手段４を構成する可動刃４２が固定された状態で設けられている。
【００２３】
次に、この実施例の作用・効果を説明する。
【００２４】
まず、この実施例の作用を図１及び図６に基づいて説明する。
【００２５】
この実施例では上述のように構成されるため、駆動機構５４において、カム５４２を反時計方向に回転させることにより、カムローラ５４１を介して案内ガイド５３を下方へ押し下げると同時に、摺動案内筒５４３及び伝達アーム５４４を介して走行切断台車５２をフィン材１１の搬送方向に沿って該フィン材１１の搬送速度と同一速度で移動させる。
【００２６】
そして、案内ガイド５３の下方への移動により、まず、図６（ａ）に示すように、ピッチ拡大手段２が下降して両ウォーム１ａ，１ｂが係合している部分におけるフィン材１１の谷部１１ｂに圧入されることにより、図６（ｂ）に示すように、フィン材１１における山形凸部位置１１ｄのフィンピッチを拡大させ、次に、フィン材１１が両ウォーム１ａ，１ｂを通過した直後に、図６（ｃ）に示すように、切断案内手段３がピッチ拡大手段２に沿って下降してピッチが拡大された谷部１１ｂに挿入し、切断位置を押さえて位置決めした後、可動刃４２がさらに下降して固定刃４１との間で谷部１１ｂを剪断する。
【００２７】
その後、図６（ｅ）に示すように、案内ガイド５３が上方へ移動することで、可動刃４２が上昇すると共に、摺動案内筒５４３及び伝達アーム５４４を介して走行切断台車５２をフィン材１１の搬送方向とは逆方向に戻される。
【００２８】
以上の動作を繰り返すことにより、フィン材１１を連続的に搬送させながら、フィン材１１を所定長さ（所定の谷部数）ごとに連続的に切断することができる。
【００２９】
以上詳細に説明してきたように、この実施例コルゲートフィン切断装置では、各稜線部１１ｃが山形に矯正された波状のフィン材１１の谷部１１ｂに圧入することによりフィン材１１における山形凸部位置１１ｄのフィンピッチを拡大させるピッチ拡大手段２と、該ピッチ拡大手段２に沿ってピッチが拡大された谷部１１ｂに挿入して切断位置を押さえて位置決めする切断案内手段３と、ピッチが拡大された谷部１１ｂの裏面側に配置される固定刃４１と、切断案内手段３に沿ってピッチが拡大された谷部１１ｂに挿入して固定刃４１との間で谷部１１ｂを剪断する可動刃４２とで構成されるフィン切断手段４と、を備えている構造としたことで、各稜線部１１ｃが山形に矯正された波状のフィン材１１を切断することができるようになる。
【００３０】
また、ピッチ拡大手段２と、切断案内手段３と、フィン切断手段４とが、フィン材１１の搬送速度と同一速度で移動しながらフィン材１１の切断が行われるようにしたことで、フィン材１１の搬送を止めることなしに、連続的にフィン材１１を切断することができるため、生産性を高めることができるようになる。
【００３１】
また、両ウォーム１ａ，１ｂが係合している部分におけるフィン材１１の谷部１１ｂにピッチ拡大手段２が圧入されると共に、フィン材１１がウォーム１ａ，１ｂを通過した直後に切断案内手段３の圧入及びフィン切断手段４によるフィン材１１の切断が行われるようにしたことで、ピッチ拡大手段２を確実にフィン材１１の谷部１１ｂへ圧入させることができるようになる。
【００３２】
以上本実施例を説明してきたが、本発明は上述の実施例に限られるものではなく、本発明の要旨を逸脱しない範囲の設計変更等があっても、本発明に含まれる。
【００３３】
例えば、実施例では、両ウォーム１ａ，１ｂが係合している部分におけるフィン材１１の谷部１１ｂにピッチ拡大手段２が圧入されるようにしたが、フィン材１１がウォーム１ａ，１ｂを通過した後にピッチ拡大手段２を圧入させるようにしてもよい。
【００３４】
また、実施例では、案内ガイド５３の駆動をカムローラ５４１で同一としたが、ピッチ拡大手段２と、切断案内手段３・フィン切断手段４との駆動を分けてもよい。例えば、ピッチ拡大手段２をカムローラ５４１とし、切断案内手段３・フィン切断手段４をサーボモータ又はエアシリンダーで駆動させてもよい。
【００３５】
また、実施例では、ピッチ拡大手段２と、切断案内手段３と、フィン切断手段４とが、フィン材１１の搬送速度と同一速度で移動しながらフィン材１１の切断が行われるようにしたが、フィン材１１の搬送を止めて切断するようにしてもよい。
【００３６】
なお、図７に示すように、固定刃４１１及び可動刃４２１を山形に形成することにより、ピッチ拡大手段２及び切断案内手段３等を省略することができるようになる。これは、山形の角度が同じフィンを製造する場合には、刃を変える必要がないので工程を簡略化できる効果がある。なお、この場合の可動刃及び固定刃の移動は上記構造を用いることができる。
【図面の簡単な説明】
【００３７】
【図１】実施例のコルゲートフィン切断装置の作動状態を示す全体側面図である。
【図２】実施例のコルゲートフィン切断装置の要部を示す断面図である。
【図３】実施例のコルゲートフィン切断装置の要部を示す斜視図である。
【図４】実施例のコルゲートフィン切断装置の要部を示す平面図である。
【図５】図４のＶ−Ｖ線における縦断面図である。
【図６】実施例のコルゲートフィン切断装置の作動状態を示す要部の側面図である。
【図７】コルゲートフィン切断装置の他の例を示す工程斜視図である。
【符号の説明】
【００３８】
１ａ  右捩れウォーム
１ｂ  左捩れウォーム
２  ピッチ拡大手段
２１  傾斜面
３  切断案内手段
４  フィン切断手段
４１  固定刃
４１１  固定刃
４２  可動刃
４２１  可動刃
５  同調移動手段
５１  基台
５２  走行切断台車
５３  案内ガイド
５３１  コイルスプリング
５３２  コイルスプリング
５４  駆動機構
５４１  カムローラ
５４２  カム
５４３  摺動案内筒
５４４  伝達アーム
１１  フィン材
１１ａ  肩部
１１ｂ  谷部
１１ｃ  稜線部
１１ｄ  山形凸部位置
【図１】
2007054928.tif 000003
【図２】
2007054928.tif 000004
【図３】
2007054928.tif 000005
【図４】
2007054928.tif 000006
【図５】
2007054928.tif 000007
【図６】
2007054928.tif 000008
【図７】
2007054928.tif 000009